(57)【要約】      （修正有）【課題】より小さい作用力で揺動でき、軽比重物と高比重物を精度よく分離できる揺動篩を提供する。【解決手段】  篩体を揺動機能を構成する複数対の平衡リンクに剛性を持たせ、篩体と処理物を合わせた重量に釣り合うカウンターウェイトを固着して設けるとともに、分別の精度を向上する目的で、篩体へ処理物を供給する投入口、傾斜した篩体の低位側にある軽比重物の排出口及び網目板を下方に通過した微粒子物の排出口には、それぞれ必要以上の空気の出入りを規制することと、加えて処理物を篩体の揺動に伴って投入又は排出口に送り出すことが可能な機能を有する隔離幕をそれぞれに設けとともに、篩体の高位側から投入口に掛けて網目板の上方に処理物の性状に合った間隔を離して案内板を設け、高速空気流路を形成する。【選択図】  図１
2006314978.tif 000002
【特許請求の範囲】
【請求項１】
篩体を揺動することを機能目的とする、複数対の平行リンクに剛性を持たせ、該リンクに、篩体と篩い分ける処理物の重量と釣り合うカウンターウェイトを固着して設け、該リンクの固定側枢支点廻りに篩体と篩い分ける処理物の重量により生ずる偶力と、この偶力に対向するカウンターウェイトにより生ずる偶力を均衡させることによって、篩体を小さな作用力で揺動可能にし、かつより振幅を大きく、より高速での揺動を可能にした篩体の揺動様式。
【請求項２】
篩体の分別作用を助長する手段として、篩体の中での意図的で、かつ高速な空気の流れを実現することが望ましい。篩体の処理物投入口、及び複数の、分別された処理物の排出口には空気の流出入を規制しつつ、処理物を通過可能とする隔離膜を設けると共に、篩体の網目板の上方には適宜な間隔で案内板を儲け高速空気流路を形成して、処理物の分別をより精度の良く行える構成を特徴とする揺動篩。
【発明の詳細な説明】
【技術分野】
【０００１】  本発明は比重の異なる物質の混合物を高比重物、低比重物、及び小粒子物に篩い分ける揺動型分別篩に関するものである。
【背景技術】
【０００２】  揺動型分別篩は穀物の選別機として古くから用いられてきている。篩の揺動に加えて空気の流れを併用する形式の篩も販売されてきた。【０００３】  これらの篩は傾斜した網目板を有し、傾斜した網目板を斜め上下方向に揺動することで、網目板の高低位の両端に設けた排出口には、高位側には高比重物、低位側には軽比重物、及び網目板を通過した小粒子物が別の下方に分離されて排出される方式である。【０００４】  また、従来の揺動篩は篩体と処理物を合わせた重量を直に揺動する方式であるために、その重量に抗するよう設計され、より頑丈な構造に作られていた。【０００５】  揺動篩には揺動による分別作用だけでは高比重物と低比重物の分離が十分に行えないことが常態であった。この分離過程をを補完する手段として網目板の上方に空気を流入する方式も存在したが、精度の高い分離を実現さるものではなかった。
【発明の開示】
【発明が解決しようとする課題】
【０００６】  従来の揺動篩は篩体と処理物を合わせた重量を直に揺動する方式であり、かつ高速で振幅運動をさせるため、その駆動系は頑丈な構造に作られ、その系を駆動する原動機も高出力が必要であった。【０００７】  空気の流れで軽比重物を網目板の下位側に移動させる方式は存在したが十分な処理物の分離は得られないため、より精度の高い分離を実現するためには、高速なの空気の流れと処理物間のより長く安定した対向接触が必要とされていた。
【課題を解決するための手段】
【０００８】  篩体を揺動機能を構成する複数対の平衡リンクに剛性を持たせ、篩体と処理物を合わせた重量に釣り合うカウンターウェイト固着して設ける。【０００９】  カウンターウェイトの固着された平衡リンクの支持フレーム側の固定支点廻りに篩体と処理物の合計重量が惹起する偶力と、該偶力に対向する偶力がカウンターウェイトにより付与されて偶力が生じる、この２の偶力は均衡状態を現出する。このように均衡の取れた篩体系全体はより小さな作用力によって揺動することが可能となる。【００１０】  また、この発明の請求項２に記載の発明は、分別の精度を向上する目的で、篩体へ処理物を供給する投入口、傾斜した篩体の低位側にある軽比重物の排出口及び網目板を下方に通過した微粒子物の排出口には、それぞれ必要以上の空気の出入りを規制することと、加えて処理物を篩体の揺動に伴って投入又は排出口に送り出すことが可能な機能を有する隔離幕をそれぞれに設ける、隔離幕は復元性のある弾性材等で製作し、機能目的を果たすように成形して組み付ける。【００１１】  篩体の高位側から投入口に掛けて網目板の上方に処理物の性状に合った間隔を離して案内板を設け、高速空気流路を形成する。
【発明の効果】
【００１２】  特許請求項１においては、揺動平衡リンクにカウンターウェイトを固着して設け、該平衡リンクの固定支点周りの偶力の均衡を現出ことによって、篩体の揺動をより小さい作用力で実現することが可能になった。【００１３】  揺動を起こす作用力が小さいことは、篩体の揺動振幅を更に大きくすること、または振幅数の増大が可能で、網目板上の処理物の移送速度が大きくなり処理量も増大できる。【００１４】  小さい作用力で目的の揺動が成り立つことにより、作動系を駆動する作動系の強度レベルも下げることができると共に、原動機もより小さい容量ですむ効果が得られる。【００１５】  上記の効果により、駆動系の製作費は低廉に抑えることができるとともに、原動機等のランニングコストも継続的に低く抑えることができる。【００１６】  揺動する篩体の網目板上に投入された高比重物質は篩体の高速揺動により慣性力を惹起されて、網目板の高位方向に順次異動し、高速空気流路の通過の際に軽比重物を精度良く分離しつつ、やがては吸気口より外部に排出される効果を得る。【００１７】  篩体の網目板を吹き上げる供給空気は軽比重物の小片等の網目板の下方への通過は阻止し軽量処理物を浮遊状態とする。ただし小粒子物は供給口から進入する空気流に押されつつ、網目板の下方に通過し、空気供給口より侵入する空気流に押されて、篩体の下位方向の隔離幕を通過して排出口より外部に排出される。【００１８】  上述の構造において吸気口からの吸入空気量と網目板を通過して吹き上げ流を作るための供給口からの供給空気量をあわせた空気量を排気口から誘引ブロアー等で排気することにより、網目板と案内板で形成する高速空気流路を空気が吸気口から投入口に掛けて、一定の区間を一定の時間を掛けて高速空気流と処理物が対向して接触するので、前述の供給空気流によって浮動状態にある軽比重処理物は該高速空気流に乗って網目板の低位側に移行することになり、軽比重物は高比重物と精度良く分離する効果が得られる。【００１９】  また、軽比重物の形、大きさ、比重等に合わせて吸気空気量、及供給空気量を排気及び吸気系のダクトにダンパー等を設け、適宜に空気量を増減できる制御方式を採用することによって、軽比重物質の分離精度をさらに向上することが可能と成る。
【発明を実施するための最良の形態】
【００２０】  以下本発明の実施の形態として一実施例を図１、図２に基づいて説明する。【００２１】  図１においてフレーム１は揺動篩の構成部材を扛重し、支持する躯体である。【００２２】  フレーム１には篩体９平衡リンク４，５で、揺動可能にする固定枢支点２，３を固着して設ける。【００２３】  篩体９には平衡リンク４，５を支持する枢支点６，７を固着して設ける。【００２４】  フレーム１の固定枢支点２と篩体９の枢支点６の間に一対の平衡リンク４をもうけ、固定枢支点２廻りに揺動自在となす。。【００２５】  フレーム１の固定枢支点３と篩体９の枢支点７の間に一対の平衡リンク５をもうけ、固定枢支点３廻りに揺動自在となす。【００２６】  平衡リンク５には篩体９と図示していない処理物の合計重量が固定枢支点３廻りに時計方向に廻動しようとする偶力に見合った大きさの、反板時計方向に廻動する偶力を惹起するカウンターウェイト８を固着して設ける。【００２７】  篩体９には、篩体９を揺動するための作用力を受ける駆動枢支点１０を設け、フレーム１に固着して設けた廻動自在の偏芯軸１２との間を連接棒１１で接続する。【００２８】  偏芯軸１２は、モーター１３によりプリー、ベルト等を介して連続回転可能に設定する。【００２９】  篩体９と処理物を加えた重量による固定枢支点３廻りの時計方向廻り偶力と該偶力に対向する反時計廻りの偶力が均衡することにより、フレーム１上の遍芯軸１２と篩体９に設けられた駆動枢支点１０を接合する連接棒１１はごく小さな軸力で駆動して、篩体９に揺動運動を起こすことができる。【００３０】  図２において、フレーム１には投入口２４と杯気口２６を備えた筐体を固着して設け、篩体９との接合部には筐体９との接触が生じないよう、適宜な間隔を置いて双方に接合口２８を形成して設ける。【００３１】  篩体９には、傾斜する網目板１４と、網目板１４の上方に高速空気流路２７を形成する案内板１５を設ける。網目板１４の下層部には網目板１４を下方に通過した小粒子が篩体９の低位側に設けた排出口２２にむかって移送するための底板１９を備える。【００３２】  篩体９の高位側には吸気口１８を、また網目板１４と底板１９ので形成する空間に空気を供給するための供給口を備える。【００３３】  傾斜した篩体９の低位側にある軽比重物の排出口１７及び網目板１４を下方に通過した小粒子物の排出口２２には、それぞれ必要以上の空気の出入りを規制することと、加えて処理物を篩体の揺動に伴って処理物を排出口１７、２２に送り出すことが可能な機能を有する隔離幕１６，２１をそれぞれに備える、隔離幕１６，２１は復元性のある弾性材等で製作し、機能目的を果たす形状に加工して組み付ける。隔離幕１６，２１は一枚板状ではなく縦方向に数箇所切れ目を入れて、暖簾に似た形状とすることが望ましい。【００３４】  フレーム１に固着して設けた投入口２４の内部には、必要以上の空気の出入りを規制することと、加えて処理物を処理物の自重によって篩体９に供給することが可能な機能を有する隔離幕２５を設ける。隔離幕２５は上述と同様に暖簾に似た形状とすることが望ましい。【００３５】  フレーム１に固着して設けた投入口２４及び排気口２６下部に設けた接続口２８と、篩体９の���向位置に設けた接続口２８との間は流動する空気や処理物の漏洩を阻止する目的の可撓性を有する膜体２３を備えて、篩体９の揺動に支障のない構造とする。【００３６】  排気口２６からの排気空気量は量は供給口２０から導入される供給空気量と、高速空気流路の２７の必要流速に見合った吸気口からの吸気量を合わせた容量が少なくても必要となる。供給口や排気口には空気流量を調整可能な図示していないダクトへダンパーを備えることが望ましい。
【図面の簡単な説明】
【００３７】
【図１】本発明の実施例を示す平衡リンク部から見た側面図。
【図２】本発明の実施例を示す中心縦断面図。
【符号の説明】
【００３８】  １                フレーム
２、３            固定枢支点
４，５            平衡リンク
６，７            枢支点
８                カウンターウェイト
９                篩体
１０                駆動枢支点
１１                連接棒
１２                偏芯軸
１３                モーター
１４                網目板
１５                案内板
１６、２１，２５    隔離幕
１７，２２          排出口
１８                吸気口
１９                底板
２０                供給口
２３                膜体
２４                投入口
２６                排気口
２７                高速空気流路
２８                接続口
【図１】
2006314978.tif 000003
【図２】
2006314978.tif 000004